(57)【要約】【課題】ロック状態のスライダーが不意に開く方向に移動したとしても、停止爪によるファスナーエレメントの傷付きを防止することができるスライドファスナーを提供する。【解決手段】スライドファスナー１０のファスナーエレメント３１は、テープ側縁部２０ａに取り付けられる基部３２と、基部３２から相手側のファスナーテープ２０に向けて延設される噛合頭部３３と、基部３２と噛合頭部３３との間に形成される首部３４と、を備え、スライダー４０は、胴体Ｄと、胴体Ｄに設けられ、ファスナーエレメント３１と係合する停止爪Ｌ１を有するロック部材Ｌと、を備え、噛合頭部３３の厚さＴ１及び首部３４の厚さＴ２が、基部３２の最大厚さＴ３よりも小さく設定される。【選択図】図４
2016202761.tif 000002
【特許請求の範囲】
【請求項１】
一対のファスナーテープ（２０）と、前記一対のファスナーテープ（２０）の対向するテープ側縁部（２０ａ）にそれぞれ取り付けられ、複数のファスナーエレメント（３１，３１Ｂ）を有する一対のファスナーエレメント列（３０）と、前記一対のファスナーエレメント列（３０）を噛合・分離させるスライダー（４０）と、を備え、
前記ファスナーエレメント（３１，３１Ｂ）は、前記テープ側縁部（２０ａ）に取り付けられる基部（３２）と、前記基部（３２）から相手側の前記ファスナーテープ（２０）に向けて延設される噛合頭部（３３）と、前記基部（３２）と前記噛合頭部（３３）との間に形成され、前記噛合頭部（３３）よりも幅狭な首部（３４）と、を備え、
前記スライダー（４０）は、胴体（Ｄ）と、前記胴体（Ｄ）に設けられ、前記ファスナーエレメント（３１，３１Ｂ）と係合する停止爪（Ｌ１）を有するロック部材（Ｌ）と、を備え、
前記胴体（Ｄ）は、互いに離間して配置される第１翼板（Ｄ１）及び第２翼板（Ｄ２）と、前記第１翼板（Ｄ１）及び前記第２翼板（Ｄ２）を連結する案内柱（Ｄ３）と、を有し、
前記ロック部材（Ｌ）の前記停止爪（Ｌ１）が前記第１翼板（Ｄ１）から突出して前記首部（３４）に係合するスライドファスナー（１０）であって、
前記噛合頭部（３３）の厚さ（Ｔ１）及び前記首部（３４）の厚さ（Ｔ２）が、前記基部（３２）の最大厚さ（Ｔ３）よりも小さく設定されることを特徴とするスライドファスナー（１０）。
【請求項２】
前記首部（３４）の側面（３４ａ）の前記ファスナーエレメント（３１，３１Ｂ）の幅方向に対する角度（Ｒ１）が、前記基部（３２）の側面（３２ａ）の前記ファスナーエレメント（３１，３１Ｂ）の幅方向に対する角度（Ｒ２）よりも小さく設定されることを特徴とする請求項１に記載のスライドファスナー（１０）。
【請求項３】
前記首部（３４）の側面（３４ａ）の前記ファスナーエレメント（３１，３１Ｂ）の幅方向に対する角度（Ｒ１）が、前記噛合頭部（３３）の側面（３３ａ）の前記ファスナーエレメント（３１，３１Ｂ）の幅方向に対する角度（Ｒ３）よりも小さく設定されることを特徴とする請求項１又は２に記載のスライドファスナー（１０）。
【請求項４】
前記噛合頭部（３３）及び前記首部（３４）と前記第１翼板（Ｄ１）との間に隙間（Ｚ１，Ｚ２）が形成され、
前記隙間（Ｚ１，Ｚ２）は、前記基部（３２）と前記第１翼板（Ｄ１）との間に形成される隙間（Ｚ３）よりも大きく設定され、
前記噛合頭部（３３）及び前記首部（３４）と前記第２翼板（Ｄ２）との間に隙間（Ｚ４，Ｚ５）が形成され、
前記隙間（Ｚ４，Ｚ５）は、前記基部（３２）と前記第２翼板（Ｄ２）との間に形成される隙間（Ｚ６）よりも大きく設定されることを特徴とする請求項１〜３のいずれか１項に記載のスライドファスナー（１０）。
【発明の詳細な説明】
【技術分野】
【０００１】
この発明は、スライドファスナーに関する。
【背景技術】
【０００２】
従来のスライドファスナーとしては、左右一対のファスナーテープと、左右のファスナーテープにそれぞれ取り付けられ、複数のファスナーエレメントを有する左右一対のファスナーエレメント列と、左右のファスナーエレメント列を噛合・分離させるスライダーと、を備え、ファスナーエレメントが、ファスナーテープに取り付けられる基部と、基部から相手側のファスナーテープに向けて延設される噛合頭部と、基部と噛合頭部との間に形成される首部と、を備えるものが知られている（例えば、特許文献１参照）。
【先行技術文献】
【特許文献】
【０００３】
【特許文献１】国際公開第２０１３／０５１１４９号
【発明の概要】
【発明が解決しようとする課題】
【０００４】
しかしながら、上記特許文献１に記載のスライドファスナーでは、スライダーの停止爪が、ファスナーエレメントに係合するロック状態において、不意に左右のファスナーテープを幅方向外側に引っ張った場合には、スライダーがスライドファスナーを開く方向に移動しようとするが、ロック状態のまま、スライダーが開く方向に移動しようとするため、停止爪によりファスナーエレメントに傷が付く恐れがあった。また、このようなことが過度に繰り返し行われた場合には、ファスナーエレメントがファスナーテープから欠落してしまう恐れがあった。
【０００５】
本発明は、前述した事情に鑑みてなされたものであり、その目的は、ロック状態のスライダーが不意に開く方向に移動したとしても、停止爪によるファスナーエレメントの傷付きを防止することができるスライドファスナーを提供することにある。
【課題を解決するための手段】
【０００６】
本発明の上記目的は、下記の構成により達成される。
（１）一対のファスナーテープと、一対のファスナーテープの対向するテープ側縁部にそれぞれ取り付けられ、複数のファスナーエレメントを有する一対のファスナーエレメント列と、一対のファスナーエレメント列を噛合・分離させるスライダーと、を備え、ファスナーエレメントは、テープ側縁部に取り付けられる基部と、基部から相手側のファスナーテープに向けて延設される噛合頭部と、基部と噛合頭部との間に形成され、噛合頭部よりも幅狭な首部と、を備え、スライダーは、胴体と、胴体に設けられ、ファスナーエレメントと係合する停止爪を有するロック部材と、を備え、胴体は、互いに離間して配置される第１翼板及び第２翼板と、第１翼板及び第２翼板を連結する案内柱と、を有し、ロック部材の停止爪が第１翼板から突出して首部に係合するスライドファスナーであって、噛合頭部の厚さ及び首部の厚さが、基部の最大厚さよりも小さく設定されることを特徴とするスライドファスナー。
（２）首部の側面のファスナーエレメントの幅方向に対する角度が、基部の側面のファスナーエレメントの幅方向に対する角度よりも小さく設定されることを特徴とする（１）に記載のスライドファスナー。
（３）首部の側面のファスナーエレメントの幅方向に対する角度が、噛合頭部の側面のファスナーエレメントの幅方向に対する角度よりも小さく設定されることを特徴とする（１）又は（２）に記載のスライドファスナー。
（４）噛合頭部及び首部と第１翼板との間に隙間が形成され、隙間は、基部と第１翼板との間に形成される隙間よりも大きく設定され、噛合頭部及び首部と第２翼板との間に隙間が形成され、隙間は、基部と第２翼板との間に形成される隙間よりも大きく設定されることを特徴とする（１）〜（３）のいずれか１つに記載のスライドファスナー。
【発明の効果】
【０００７】
本発明によれば、ファスナーエレメントの噛合頭部の厚さ及び首部の厚さが、ファスナーエレメントの基部の最大厚さよりも小さく設定されるため、ロック状態のスライダーが不意に開く方向に移動したとしても、停止爪によるファスナーエレメントの傷付きを防止することができる。
【図面の簡単な説明】
【０００８】
【図１】本発明に係るスライドファスナーの一実施形態を説明するスライダーの一部を切り欠いた表面図である。
【図２】図１に示すスライダーの断面図である。
【図３】図１に示すファスナーエレメントの上面図である。
【図４】図３に示すファスナーエレメントの側面図である。
【図５】図３のＡ−Ａ線断面図である。
【図６】図３のＢ−Ｂ線断面図である。
【図７】ファスナーエレメントの変形例を説明する上面図である。
【図８】図７に示すファスナーエレメントの側面図である。
【図９】図７のＡ−Ａ線断面図である。
【図１０】図７のＢ−Ｂ線断面図である。
【図１１】図７のＣ−Ｃ線断面図である。
【図１２】ロック強度測定試験のグラフである。
【発明を実施するための形態】
【０００９】
以下、本発明に係るスライドファスナーの一実施形態について、図面に基づいて詳細に説明する。なお、以後の説明において、ファスナーテープに関しては、表側とは図１の紙面に対して手前側、裏側とは図１の紙面に対して奥側、上側とは図１の紙面に対して上側、下側とは図１の紙面に対して下側、左側とは図１の紙面に対して左側、右側とは図１の紙面に対して右側とする。また、ファスナーテープの左右方向は幅方向とも言う。また、ファスナーテープの上下方向は長手方向とも言う。また、スライダーに関しては、ファスナーテープの表側を表側、ファスナーテープの裏側を裏側、ファスナーテープの上側を前側、ファスナーテープの下側を後側とする。また、ファスナーエレメントに関しては、上側とは図３の紙面に対して手前側、下側とは図３の紙面に対して奥側、前側とは図３の紙面に対して左側、後側とは図３の紙面に対して右側、左側とは図３の紙面に対して下側、右側とは図３の紙面に対して上側とする。また、ファスナーエレメントの左右方向は幅方向とも言う。また、ファスナーエレメントの上下方向は厚さ方向とも言う。ここで、厚さ方向は、ファスナーテープの表側と裏側とを結ぶ表裏方向でもあり、また、スライダーの表側と裏側とを結ぶ表裏方向でもある。なお、ファスナーテープにおける各方向とファスナーエレメントにおける各方向とは、同じ上側、下側、左側、右側、表側、裏側で表される。
【００１０】
本実施形態のスライドファスナー１０は、図１に示すように、左側のファスナーテープ２０と、右側のファスナーテープ２０と、左右のファスナーテープ２０の対向するテープ側縁部２０ａにそれぞれ取り付けられる左右一対のファスナーエレメント列３０と、左右のファスナーエレメント列３０を噛合・分離させるスライダー４０と、を備える。そして、スライダー４０をファスナーテープ２０の上側に移動させることにより、分離状態の左右のファスナーエレメント列３０が噛合され、スライダー４０をファスナーテープ２０の下側に移動させることにより、噛合状態の左右のファスナーエレメント列３０が分離される。
【００１１】
スライダー４０は、自動停止機能付きのスライダーであって、図２に示すように、胴体Ｄ、ロック部材Ｌ、引手Ｐ、及びカバー部材Ｃから構成されている。
【００１２】
胴体Ｄは、表裏方向に離間して並行に配置される第１翼板Ｄ１及び第２翼板Ｄ２と、第１翼板Ｄ１及び第２翼板Ｄ２を前側において連結する案内柱Ｄ３と、第１翼板Ｄ１の表面に形成される前側の柱部Ｄ４と後側の柱部Ｄ５と、を有する。また、第１翼板Ｄ１には、ロック部材Ｌの停止爪Ｌ１を挿入させる爪孔Ｄ６が、第１翼板Ｄ１を表裏方向に貫通するように形成されている。ロック部材Ｌは、第１翼板Ｄ１の表面に置かれ、その先端に停止爪Ｌ１を有しており、この停止爪Ｌ１は、爪孔Ｄ６を通って第１翼板Ｄ１から裏側に突出する。また、ロック部材Ｌの停止爪Ｌ１は、図１に示すように、右側のファスナーエレメント列３０の上下方向に隣り合う２つのファスナーエレメント３１間に挿入され、後述するファスナーエレメント３１の首部３４に係合するように配置されている。
【００１３】
カバー部材Ｃは、上向きに凸状に湾曲した天板Ｃ１と、天板Ｃ１の左右側縁から下方にそれぞれ延びる左右一対の側面板Ｃ２と、天板Ｃ１の長手方向両端から下方にそれぞれ延びる一対の端面板Ｃ３と、を有する。また、左右の側面板Ｃ２の中央部の下端面には、引手Ｐの軸部Ｐ１を収容する引手収容凹部Ｃ４がそれぞれ形成されている。このため、引手Ｐの軸部Ｐ１は、引手収容凹部Ｃ４と第１翼板Ｄ１との間で動くことが可能である。また、カバー部材Ｃ内には、ロック部材Ｌを下方に付勢する板ばねＳＰが設けられており、この板ばねＳＰは、天板Ｃ１の長手方向両端にそれぞれ形成される凸部Ｃ５に固定され、引手収容凹部Ｃ４内を横断するように配置されている。そして、引手Ｐを手で持ってスライダー４０をファスナーテープ２０の上下方向に移動する場合には、引手Ｐの軸部Ｐ１が第１翼板Ｄ１から離間する方向に動き、ロック部材Ｌが板ばねＳＰを弾性変形させながら動くことで、停止爪Ｌ１が、第１翼板Ｄ１の裏側から退避して、ファスナーエレメント３１との係合が解除される。
【００１４】
ファスナーエレメント列３０は、図１に示すように、複数のファスナーエレメント３１から構成されており、このファスナーエレメント３１は、例えば、ポリアミド、ポリアセタール、ポリプロピレン、ポリブチレンテレフタレートなどの合成樹脂を用いて、ファスナーテープ２０のテープ側縁部２０ａに射出成形されて取り付けられている。ファスナーテープ２０におけるテープ側縁部２０ａの厚さ方向の寸法は、その他の部分より大きく形成されており、取り付けられたファスナーエレメント３１がファスナーテープ２０から外れにくくしている。
【００１５】
ファスナーエレメント３１は、図３及び図４に示すように、テープ側縁部２０ａに取り付けられる基部３２と、基部３２から相手側のファスナーテープ２０に向けて延設され、相手側のファスナーエレメント３１と噛合する噛合頭部３３と、基部３２と噛合頭部３３との間に形成され、噛合頭部３３よりも幅狭な首部３４と、首部３４から延出する一対の肩部３５と、噛合頭部３３の先端部に形成され、相手側のファスナーエレメント３１の肩部３５を収容する溝部３６と、を備える。なお、首部３４のファスナーエレメント３１の上下方向の寸法は、噛合頭部３３及び基部３２における上下方向の寸法よりも小さく形成されている。左右のファスナーエレメント３１の噛合時には、左右のファスナーエレメント３１のうち、一方側のファスナーエレメント３１の噛合頭部３３が、他方側の上下方向に隣り合う２つのファスナーエレメント３１の首部３４の間に配置されて、互いに噛合する。ここで、ファスナーエレメント３１は、ファスナーエレメント３１の上下方向と左右方向で形成される平面で、厚さ方向の中央を通る面に対して対称である。これにより、厚さ方向の中央を通る面の表側及び裏側に噛合頭部３３及び首部３４が形成されるため、噛合状態の強度を得ることができる。また、ロック状態では、停止爪Ｌ１が首部３４に係合し、首部３４は噛合頭部３３及び基部３２に比べて幅狭であるため、停止爪Ｌ１が首部３４の位置に嵌まり込むように係合して、停止爪Ｌ１が左右方向にずれるような移動がしにくく、ロック部材Ｌが左右方向に傾くなどの変化が起こりにくいので、所定のロック強度が得やすいものである。さらに、図４に示すように、ファスナーエレメント３１はファスナーテープ２０の表裏方向で対称な形状である。
【００１６】
そして、本実施形態では、図４に示すように、噛合頭部３３における厚さ方向の寸法である厚さＴ１及び首部３４における厚さ方向の寸法である厚さＴ２が、基部３２における厚さ方向の最大の寸法である最大厚さＴ３よりも小さく設定されている。これにより、図６に示すように、ロック部材Ｌの停止爪Ｌ１と首部３４の側面３４ａとの係合高さＨが従来のファスナーエレメントよりも低くなるため、ロック状態でスライダー４０が開く方向に移動したとしても、停止爪Ｌ１が首部３４を容易に乗り越えることが可能となり、停止爪Ｌ１によるファスナーエレメント３１の傷付きを防止することができ、また、停止爪Ｌ１が首部３４を乗り越えられない状態で、さらに移動したときに、ファスナーエレメント３１をファスナーテープ２０から取り外してしまうというファスナーエレメント３１の欠落を防止することができる。
【００１７】
また、基部３２における最大厚さＴ３は、スライダー４０の第１翼板Ｄ１の第２翼板Ｄ２と対向する側の面（第１翼板Ｄ１の裏側の面とも言う）と、第２翼板Ｄ２の第１翼板Ｄ１と対向する側の面（第２翼板Ｄ２の表側の面とも言う）との間の寸法より若干小さく設定されており、スライダー４０は基部３２の表裏面に摺接しながら移動する。
【００１８】
このように、噛合頭部３３の厚さＴ１及び首部３４の厚さＴ２が、基部３２の最大厚さＴ３よりも小さく設定されている場合には、噛合頭部３３の表側の面と第１翼板Ｄ１の裏側の面との間に形成される第１隙間Ｚ１、及び首部３４の表側の面と第１翼板Ｄ１の裏側の面との間に形成される第２隙間Ｚ２が、基部３２の表側の面と第１翼板Ｄ１の裏側の面との間に形成される第３隙間Ｚ３よりも大きく設定されると共に、第１隙間Ｚ１及び第２隙間Ｚ２が、第１翼板Ｄ１の裏側の面から突出する停止爪Ｌ１の寸法よりも小さく設定されることで、停止爪Ｌ１が首部３４を容易に乗り越えることが可能となる。
【００１９】
さらに、噛合頭部３３の裏側の面と第２翼板Ｄ２の表側の面との間に形成される第４隙間Ｚ４、及び首部３４の裏側の面と第２翼板Ｄ２の表側の面との間に形成される第５隙間Ｚ５が、基部３２の裏側の面と第２翼板Ｄ２の表側の面との間に形成される第６隙間Ｚ６よりも大きく設定される。これにより、ロック状態でスライダー４０が開く方向に移動したとしても、ファスナーエレメント３１は、停止爪Ｌ１が首部３４を乗り越えようとすると共に、停止爪Ｌ１により、ファスナーエレメント３１が図４において噛合頭部３３側が第２翼板Ｄ２に向けて傾くように力が作用するが、噛合頭部３３の裏側の面及び首部３４の裏側の面と第２翼板Ｄ２の表側の面との間に第４及び第５隙間Ｚ４，Ｚ５があることで、ファスナーエレメント３１を傾いた姿勢に変化させることができるため、停止爪Ｌ１が首部３４を乗り越える際に、より好適に乗り越えることができるようになる。
【００２０】
また、図５に示すように、首部３４の側面３４ａのファスナーエレメント３１の幅方向に対する角度Ｒ１が、基部３２の側面３２ａのファスナーエレメント３１の幅方向に対する角度Ｒ２よりも小さく設定されている。
【００２１】
また、図６に示すように、首部３４の側面３４ａのファスナーエレメント３１の幅方向に対する角度Ｒ１が、噛合頭部３３の側面３３ａのファスナーエレメント３１の幅方向に対する角度Ｒ３よりも小さく設定されている。
【００２２】
また、基部３２の側面３２ａのファスナーエレメント３１の幅方向に対する角度Ｒ２は噛合頭部３３の側面３３ａのファスナーエレメント３１の幅方向に対する角度Ｒ３よりも小さく設定されている。
【００２３】
以上説明したように、本実施形態のスライドファスナー１０によれば、噛合頭部３３の厚さＴ１及び首部３４の厚さＴ２が、基部３２の最大厚さＴ３よりも小さく設定されるため、ロック状態のスライダー４０が不意に開く方向に移動したとしても、停止爪Ｌ１によるファスナーエレメント３１の傷付きを防止することができる。
【００２４】
また、本実施形態のスライドファスナー１０によれば、首部３４の側面３４ａのファスナーエレメント３１の幅方向に対する角度Ｒ１が、基部３２の側面３２ａのファスナーエレメント３１の幅方向に対する角度Ｒ２、及び噛合頭部３３の側面３３ａのファスナーエレメント３１の幅方向に対する角度Ｒ３よりも小さく設定されるため、ロック状態でスライダー４０を開く方向に移動した際に、停止爪Ｌ１が首部３４の側面３４ａに案内されるので、停止爪Ｌ１が首部３４を容易に乗り越えることが可能となる。従って、ロック状態のスライダー４０が不意に開く方向に移動したとしても、停止爪Ｌ１によるファスナーエレメント３１の傷付きを更に防止することができる。
【００２５】
次に、本実施形態の変形例として、ファスナーエレメント３１は図７及び図８に示すファスナーエレメント３１Ｂであってもよい。このファスナーエレメント３１Ｂは、上記ファスナーエレメント３１と同一構成であるが、ファスナーエレメント３１Ｂの上下面が、基部３２の前部から噛合頭部３３の前端部に向かって下り傾斜する傾斜面にそれぞれ形成されている。このため、噛合頭部３３における厚さ方向の寸法である厚さＴ１＜首部３４における厚さ方向の寸法である厚さＴ２＜基部３２における厚さ方向の最大の寸法である最大厚さＴ３に設定されている。
【００２６】
また、図９〜図１１に示すように、噛合頭部３３及び首部３４の上下面は、幅方向中央を頂点として幅方向外側に向かって下り傾斜する左右対称の傾斜面にそれぞれ形成されている。このため、ファスナーエレメント３１Ｂは、上記ファスナーエレメント３１と比較して、噛合頭部３３及び首部３４の上下面に断面略三角形状のリブが前後方向に沿ってそれぞれ形成されたような形状となる。従って、ファスナーエレメント３１Ｂの剛性が高くなるため、ファスナーエレメント３１Ｂの引抜き強度及び滑り強度を向上することができる。なお、引抜き強度とは、ファスナーエレメントをファスナーテープの幅方向外側に引っ張り、ファスナーエレメントがファスナーテープから欠落したときの引っ張り力のことである。また、滑り強度とは、ファスナーエレメントをファスナーテープの長手方向一方側に引っ張り、ファスナーエレメントがファスナーテープの長手方向に移動したときの引っ張り力のことである。
【００２７】
また、図９に示すように、上記ファスナーエレメント３１と同様に、首部３４の側面３４ａのファスナーエレメント３１の幅方向に対する角度Ｒ１が、基部３２の側面３２ａのファスナーエレメント３１の幅方向に対する角度Ｒ２よりも小さく設定されている。
【００２８】
また、図１０に示すように、上記ファスナーエレメント３１と同様に、首部３４の側面３４ａのファスナーエレメント３１の幅方向に対する角度Ｒ１が、噛合頭部３３の側面３３ａのファスナーエレメント３１の幅方向に対する角度Ｒ３よりも小さく設定されている。
【００２９】
また、本変形例においても、噛合頭部３３の表側の面及び首部３４の表側の面と第１翼板Ｄ１の裏側の面との間の隙間Ｚ１，Ｚ２は、基部３２の表側の面と第１翼板Ｄ１の裏側の面との間の隙間Ｚ３よりも大きく設定され、噛合頭部３３の裏側の面及び首部３４の裏側の面と第２翼板Ｄ２の表側の面との間の隙間Ｚ４，Ｚ５は、基部３２の裏側の面と第２翼板Ｄ２の表側の面との間の隙間Ｚ６よりも大きく設定される。
【００３０】
このため、ロック状態でスライダー４０が開く方向に移動したとしても、ファスナーエレメント３１は、停止爪Ｌ１が首部３４を乗り越えようとすると共に、停止爪Ｌ１により、ファスナーエレメント３１が図８において噛合頭部３３側が第２翼板Ｄ２に向けて傾くように力が作用するが、噛合頭部３３の裏側の面及び首部３４の裏側の面と第２翼板Ｄ２の表側の面との間に隙間Ｚ４，Ｚ５があることで、ファスナーエレメント３１を傾いた姿勢に変化させることができるため、停止爪Ｌ１が首部３４を乗り越える際に、より好適に乗り越えることができるようになる。
【実施例】
【００３１】
次に、本発明の作用効果を確認するため、本発明例のスライドファスナーと比較例のスライドファスナーについて、ロック強度測定試験を行った。なお、ロック強度とは、ロック状態のスライダーを開く方向に移動させるために必要な力のことである。ここで、ロック強度測定試験とは、左右のファスナーテープに幅方向外側に引っ張る力を掛け、その引っ張り力を徐々に増加させていき、ロック状態にある停止爪とファスナーエレメントとの係合が外れて、スライダーがスライドファスナーを開く方向に移動した際の引っ張り力を測定する試験である。
【００３２】
本試験では、本発明例のスライドファスナーとして、上記ファスナーエレメント３１を備えるスライドファスナー１０を用意し、比較例のスライドファスナーとして、上記特許文献１に記載のファスナーエレメントを備えるスライドファスナーを用意した。なお、本発明例及び比較例の試験体は１０本ずつ用意した。試験結果を図１２に示す。
【００３３】
図１２から明らかなように、本発明例のロック強度が１５Ｎ〜４０Ｎ（平均約２５Ｎ）であるのに対して、比較例のロック強度が１０５Ｎ〜１２８Ｎ（平均約１１７Ｎ）であることから、本発明例のロック強度が比較例よりも７９％低いことがわかった。
【００３４】
なお、本発明は上記実施形態に例示したものに限定されるものではなく、本発明の要旨を逸脱しない範囲において適宜変更可能である。
【符号の説明】
【００３５】
１０    スライドファスナー
２０    ファスナーテープ
３０    ファスナーエレメント列
３１    ファスナーエレメント
３１Ｂ  ファスナーエレメント
３２    基部
３２ａ  側面
３３    噛合頭部
３３ａ  側面
３４    首部
３４ａ  側面
４０    スライダー
Ｄ      胴体
Ｄ１    第１翼板
Ｄ２    第２翼板
Ｄ３    案内柱
Ｌ      ロック部材
Ｌ１    停止爪
Ｐ      引手
Ｃ      カバー部材
ＳＰ    板ばね
Ｔ１    噛合頭部の厚さ
Ｔ２    首部の厚さ
Ｔ３    基部の最大厚さ
Ｒ１    首部の側面の角度
Ｒ２    基部の側面の角度
Ｒ３    噛合頭部の側面の角度
Ｚ１    第１隙間
Ｚ２    第２隙間
Ｚ３    第３隙間
Ｚ４    第４隙間
Ｚ５    第５隙間
Ｚ６    第６隙間
【図１】
2016202761.tif 000003
【図２】
2016202761.tif 000004
【図３】
2016202761.tif 000005
【図４】
2016202761.tif 000006
【図５】
2016202761.tif 000007
【図６】
2016202761.tif 000008
【図７】
2016202761.tif 000009
【図８】
2016202761.tif 000010
【図９】
2016202761.tif 000011
【図１０】
2016202761.tif 000012
【図１１】
2016202761.tif 000013
【図１２】
2016202761.tif 000014